Podtech/llm-jp-corpus-v4-ja_patent huggingface dataset:
(57)【要約】【課題】プラスチック製の鉢やプランター等の非多孔質のコンテナは、排水・通気が側壁からは行なわれずに表土と底の排水穴の２か所で行なわれ、しかも底の側壁に沿った部分に水が停滞しやすく、土が過湿になって育てている草花や野菜が根腐されを起こしやすいため、側壁と底を改良して排水性・通気性を良くした改良コンテナを提供する。【解決手段】コンテナ１の側壁２は、厚みを均一にせずに上部から下部に向かって勾配をつけて下部を厚くして、側壁２内側に沿った底３部分に一定の幅の排水穴４を複数開け、底３の中心部分に排水穴４を多数開け、底３に足５を付けて足５の下部に排水・通気口６を複数開ける。【選択図】図１
2013118868.tif 000002
【特許請求の範囲】
【請求項１】
コンテナの側壁は、均一な厚みにせずに上部から下部に向かって勾配をつけて下部を厚くして、側壁内側に沿った底部分に一定の幅の排水穴を複数開け、底の中心部分に排水穴を多数開けたことを特徴とする改良コンテナ。
【発明の詳細な説明】
【技術分野】
【０００１】  本発明は、プラスチック製の鉢やプランター等の、草花や野菜を育てるコンテナの改良に関するものである。
【背景技術】
【０００２】  古くから使用されている素焼鉢やテラコッタ等の多孔質のコンテナは、小さな見えない穴が無数にできているために、側壁から水がにじみ出たり空気が流入して排水性・通気性にすぐれ、育てている草花や野菜が根腐されを起こしにくい。
一方、プラスチック製の鉢やプランター等の非多孔質のコンテナは、小さな見えない穴ができていないために、側壁から排水・通気が行なわれず、水やりを控え目にしたり排水性・通気性の良い土を使わないと、土が過湿になって育てている草花や野菜が根腐されを起こしやすい。
このため最近のプラスチック製の鉢やプランター等の非多孔質のコンテナは、底の排水穴を増やしたり、底を立体的な形状にしたり、底の周囲にスリットを入れたり、鉢やプランターの底を二重底にしたり等のいろんな工夫がなされている。
【先行技術文献】
【非特許文献】
【０００３】
【非特許文献１】小此木香著、「別冊ＮＨＫ趣味の園芸  よくわかる土・肥料・鉢」、日本放送出版協会、２００８年  ３月２０日発行、Ｐ１１０
【発明の概要】
【発明が解決しようとする課題】
【０００４】  プラスチック製の鉢やプランター等の非多孔質のコンテナの排水・通気は、側壁からは行なわれず、表土と底の排水穴の２か所で行なわれる。このため非多孔質のコンテナは、側壁から排水・通気が行なわれる素焼鉢やテラコッタ等の多孔質のコンテナに比べて排水性・通気性が悪く、土が過湿になって育てている草花や野菜が根腐されを起こしやすい。
そして、プラスチック製の鉢やプランター等の非多孔質のコンテナは、底の側壁に沿った部分に水が停滞しやすい（非特許文献１参照）。
従来のプラスチック製の鉢やプランター等の非多孔質のコンテナは、薄く作って強度を保つ構造のために、水が停滞しやすい底の側壁に沿った部分に排水穴を開けることは、底と底周辺の側壁の強度が弱くなるために難しかった。
したがって、プラスチック製の鉢やプランター等の非多孔質のコンテナの排水性・通気性を良くするには、水が停滞しやすい底の側壁に沿った部分に排水穴を開け、さらに底の中心部分の排水穴を増やして、底全体の排水穴を増やす改良が必要である。
【課題を解決するための手段】
【０００５】  上記の問題を解決するために本発明は、コンテナの側壁を均一な厚みにせずに上部から下部に向かって勾配をつけて下部を厚くして、側壁内側に沿った底部分に一定の幅の排水穴を複数開け、底の中心部分に排水穴を多数開け、側壁の下部を下に伸ばして足を付け、足の下部に排水・通気口を複数開けて改良コンテナを構成している。
【発明の効果】
【０００６】  側壁の厚みを上部から下部に向かって勾配をつけて下部の厚みを上部の厚みの１．３倍〜２倍程度にすることで、少ない原材料で上部から下部に行くに従って強くすることができ、側壁が土の重さと圧力で膨らんだりして変形するのを防ぐことができる。
底の厚みを、従来の非多孔質のコンテナの底の厚みの１．５倍〜３倍程度にして底を強くすることで、底の変形を防ぐことができる。
これにより図１・図４に示すように、側壁内側に沿った底部分に幅が２ｍｍ〜５ｍｍ程度の細長い排水穴を開けることができ、水が停滞しやすいこの部分の排水性を良くすることができる。さらに、底の中心部分の排水穴を増やすことで、底全体の排水性を良くすることができる。
底に足を付け、足の下部に排水・通気口を開けることで、底下の風通しが良くなってコンテナ内の底部の土を早く乾かすことができ、排水穴からコンテナ内への空気の流入が増えて通気性を良くすることができる。
したがって、従来のプラスチック製の鉢やプランター等の非多孔質のコンテナの側壁と底を改良して排水性・通気性を良くした本発明の改良コンテナを使用することで、育てている草花や野菜の根腐されを起こしにくくできる。
【図面の簡単な説明】
【０００７】
【図１】本発明の平面図である。
【図２】本発明の正面図である。
【図３】本発明の正面からの断面図である。
【図４】本発明の底面図である。
【発明を実施するための形態】
【０００８】  コンテナ１の側壁２は、均一な厚みにせずに上部から下部に向かって勾配をつけて下部の厚みを上部の厚みの１．５倍にする。
コンテナ１の側壁２内側に沿った底３部分に、３ｍｍの幅の細長い排水穴４を６か所開ける。そして、側壁２内側に沿った底３部分を除いた底３の中心部分に、３ｍｍの幅の細長い排水穴４を同心四重円上の２４か所に開ける。
底３の中心部分の排水穴４は、円弧状の細長い形状に限定するものではなく、排水穴４の幅が側壁２内側に沿った底３部分に開けた排水穴４の幅と同程度であれば他の形状であってもよい。
側壁２下部を下に伸ばして足５を付けて、足５の下部に四角形の排水・通気口６を９０°おきに４か所開ける。足５の厚みは、側壁２下部の厚みと同程度にして、勾配をつけずに均一にする。
本発明は、底３の上に鉢底石又は赤玉土の大粒を入れて、その上に土を入れて草花や野菜の苗を植え付けて使用する。
【符号の説明】
【０００９】  １  コンテナ
２  側壁
３  底
４  排水穴
５  足
６  排水・通気口
【図１】
2013118868.tif 000003
【図２】
2013118868.tif 000004
【図３】
2013118868.tif 000005
【図４】
2013118868.tif 000006
(57)【要約】      （修正有）【課題】簡単に一粒ずつ種子をいためず取出せるハンディで安価な播種器を提供する。【解決手段】小型の種子収納箱１に吸引モータ吸引ファンを縦に配置したにぎり部８及びその横に投入レバー４を設け、種子収納箱１内に種子を吸着する吸着部３を配置し、投入レバー４を引くことで一粒ずつ取出せる構造の片手で持てる播種器である。【選択図】図４
2013118829.tif 000002
【特許請求の範囲】
【請求項１】
種子収納箱、吸引モータ吸引ファンを本体内部に設け、種子を一粒ずつ吸着部で吸着及び排出できる機能の片手で持てる播種器
【発明の詳細な説明】
【技術分野】
【０００１】
本発明は、粒径の小さい種子を一粒ずつ取り出すハンディな播種器に関する。
【背景技術】
【０００２】
従来播種作業において、大規模農家では大型の播種装置で種まきをしているが、小規模農家では種子が小粒で一粒ずつ播きたい時、小粒種子を袋から手で一粒ずつ摘み出している、若者でも苦労だがまして高齢者では大変な作業となる。
【０００３】
先行技術には、小規模農家向けに、種子を一粒ずつ取り出す小さな穴に種子を入れて摺りきりで種子を分離さす方法が有るが粒径の違いにより操作が複雑で確実に一粒ずつ取出せない。（特許文献１）
【０００４】
これに対応できる安価で小型の播種器を提供する。
【先行技術文献】
【特許文献】
【０００５】
【特許文献１】特開２０１０-２６８７４４号公報
【特許文献２】特願平４-１７５００２号公報
【発明の概要】
【発明が解決しようとする課題】
【０００６】
本発明は、簡単に一粒ずつ種子をいためず取出せるハンディで安価な播種器を提供する。
【課題を解決するための手段】
【０００７】
小型の種子収納箱に吸引モータ吸引ファンを縦に配置したにぎり部及びその横に投入レバーを設け、種子収納箱内に種子を吸着する吸着部を配置し、投入レバーを引くことで一粒ずつ取出せる構造の片手で持てる播種器を提供する。
【発明の効果】
【０００８】
白菜など多数の小粒種子を一粒ずつ播種する時、本発明を使うことにより、肩こりなどの苦痛を伴う作業が楽に出来るようになる。
【図面の簡単な説明】
【０００９】
【図１】本発明の側面図を示す。
【図２】本発明の種子収納箱蓋を取った平面図を示す
【図３】本発明のＡ−Ａ断面図を示す
【図４】本発明のＢ−Ｂ断面図を示す
【図５】本発明の使用中の断面図を示す
【図６】本発明の吸着エアー仕切部動作図を示す
【発明を実施するための形態】
【００１０】
本発明は、種子２を入れる小型の種子収納箱１及び種子収納箱蓋１６を設け下に、吸引モータ、吸引ファンを２段重ねにしたにぎり部８、にぎり部横にバネ力で元の位置に戻る投入レバー４を備える。  参照図１
【００１１】
種子収納箱１の中に種子吸着部３を設け、種子吸着部３は種子収納箱の側面を貫通した吸引穴付回転軸１０に略Ｔ字型に配置されたパイプ１１で接続される。参照図３，４
【００１２】
種子収納箱１の中には、種子吸着部３の移動源点側位置に種子を集める内壁１８を設ける。
【００１３】
吸引穴付回転軸１０には種子収納箱１の側面外側より出た細径端に、軸駆動歯車７が取付けられ、軸駆動歯車７とかみ合った中間歯車６を介して、投入レバー側歯車５にかみ合う、投入レバー側歯車５は投入レバー４と軸で取付けられ連動する。
【００１４】
にぎり部８内の吸引モータを作動させて吸引ファンで吸引力を発生させ、エアー仕切部１３にある吸引ファン側吸引口９から空気を吸引し、ハウジング穴仕切板１５軸仕切り板１４及び吸引穴付回転軸１０の穴を通り、種子一粒が種子吸着部３に吸い付けられる。
【００１５】
種子吸着部３に吸い付いた種子２は、投入レバー４を引くと軸で連動した投入レバー側歯車５が回り、それにかみ合う中間歯車６、軸駆動歯車７が連動する。
【００１６】
軸駆動歯車７に取付けた吸引穴付回転軸１０は回転し種子吸着部３も上に回され、種子吐出口１２上に移動する。
【００１７】
吸引力は吸着エアーの量で制御され、エアー仕切部１３内の、吸引穴付回転軸１０の太径端の吸引穴、およびエアー仕切部１３の穴それぞれに、穴の一部を塞ぐ仕切板が取付けられハウジング側仕切板１５と回転する軸の軸穴仕切板１４の重なりにより開口部の開口面積変化で制御される。
【００１８】
開口面積の制御は、吸引穴付回転軸１０の種子吸着部３が移動原点側で最大開口面積を有し、そこより軸が回転し種子吸着部３が種子吐出口１２の上に来た位置で開口面積が絞られ吸着力が弱くなり、持上げられた種子２は、種子吐出口側に落ち、種子吐出口１２より排出される。
【符号の説明】
【００１９】
１種子収納箱
２種子
３種子吸着部
４投入レバー
５投入レバー側歯車
６中間歯車
７軸駆動歯車
８にぎり部
９吸引ファン側吸引口
１０吸引穴付回転軸
１１パイプ
１２種子吐出口
１３エアー仕切部
１４軸穴仕切板
１５ハウジング穴仕切板
１６種子収納箱蓋
１７手
１８種子を集める内壁
【図１】
2013118829.tif 000003
【図２】
2013118829.tif 000004
【図３】
2013118829.tif 000005
【図４】
2013118829.tif 000006
【図５】
2013118829.tif 000007
【図６】
2013118829.tif 000008
(57)【要約】【課題】  ワンスイッチでワンパルスを出力し、出力をあげる。【解決手段】  コンデンサーの放電、または、充電が完了することで、電圧の変化が得られることを利用した技術を利用し、その充電、または、放電が完了する僅かな時間を検出し、ｎｏｔ、ｎａｎｄ、ａｎｄ回路の構成トランジスターに繋げれば立方に近い１０μ秒のパルス幅を得られた。【選択図】図１
2013118602.tif 000002
【特許請求の範囲】
【請求項１】
１．片方が負極（８）に繋がれた抵抗（１）を、２．カソード側が正極（９）に繋がれたダイオード（２）と片方が正極（９）に繋がれた通電の為のスイッチ（３）に、３．直列に繋ぎ、４．この繋がれたところ（７）から、５．繋いだ通電用の導線を、６．コンデンサー（４）とコンデンサー（５）に繋ぎ、７．繋がれたコンデンサー（５）の片方は負極（８）に接続され、８．繋がれたコンデンサー（４）の片方は、９．片方が負極（８）と繋がった抵抗（６）と繋がっている。１０．このような構造をしたコンデンサー（４）と抵抗（６）との間から信号を取り出す装置。
【請求項２】
１．片方が正極（９）に繋がれた抵抗（１）を、２．アノード側が負極（８）に繋がれたダイオード（２）と片方が負極（８）に繋がれた通電の為のスイッチ（３）に、３．直列に繋ぎ、４．この繋がれたところ（７）から、５．繋いだ通電用の導線を、６．コンデンサー（４）とコンデンサー（５）に繋ぎ、７．繋がれたコンデンサー（５）の片方は負極（８）に接続され、８．繋がれたコンデンサー（４）の片方は、９．片方が負極（８）と繋がった抵抗（６）と繋がっている。１０．このような構造をしたコンデンサー（４）と抵抗（６）との間から信号を取り出す装置。
【発明の詳細な説明】
【技術分野】
【０００１】  本発明は、電子電気機器を制御するための技術の一部に属する。
【背景技術】
【０００２】  従来は、実用新案登録（３０７９９２１号）の考案の名称「開閉を伴う物の開閉カウンター」の中心的な技術であるカウントする為に演算ＣＰＵへ演算を行うためのパルスを発生する装置などに使用されている。【０００３】  また、発振装置から一瞬のパルスを取り出すサイリスタＳＣＲの回路装置や、ＩＣ化されたユニットの端子に抵抗とコンデンサーを繋ぎその値を変えることによりパルス幅を変化させたりすることが出来る一つのパルスを発生させるＩＣ製品があるが、発振器のいるサイリスタＳＣＲの回路が内臓されたＩＣかもしれないし、発振器は、電磁波を絶えず発するので好ましくなく、ＩＣなので、静電気で破壊され易い。【０００４】  また、応用技術は多彩で、モータ制御装置  （特許公開２００８−１３１７９６）やバルブ開閉機  （実用新案登録３０４７００６号）、パルスカウンターを使用した流量計がある。【０００５】  それらの技術は、一つのパルスを機械制御に使用するもので、本発明の重要性がうかがえる。【０００６】  また、これらの技術文献には、パルスの発生時間や、発生方法の具体的な記述が無く、たくさんのパルス幅の長いワンパルス発生装置を使って、制御をしている可能性もある。
【特許文献１】実用新案登録３０７９９２１号
【特許文献２】特許公開２００８−１３１７９６
【特許文献３】実用新案登録３０４７００６号
【特許文献４】特願２０１０−１３６５８２
【発明の開示】
【発明が解決しようとする課題】
【０００７】  本発明は、容易に組み立てが出来きること、また、容易に破壊されたり誤操作があっては困る砲弾の起爆装置や、高速のモーターの回転した数を数える為の装置、正確なメモリーへの書き込み信号用の発生の為の装置であることが発明の目的であり、実用新案登録（３０７９９２１号）の考案の名称「開閉を伴う物の開閉カウンター」の中心的な技術である、開閉をカウントする為に演算ＣＰＵへ演算を行うためのパルスを発生する装置で開発したパルス発生装置を使用しようとすると、パルスの幅が０．５秒から２．０秒と長く、また、特願２０１０−１３６５８２は単体では、０．２８ｍｓとパルス巾が長く、電力の出力も弱かった。【０００８】  そこで、さらに、開発を進め、高電圧で短いパルス幅を得られる様に、得られたパルスを安全にトランジスターへ接続するための方法について検討をおこなった。
【課題を解決するための手段】
【０００９】  本発明の達成には、実用新案登録（３０７９９２１号）の考案の名称「開閉を伴う物の開閉カウンター」の中心的な技術である、開閉をカウントする為に演算ＣＰＵへ演算を行うためのパルスを発生する装置で開発した、ワンパルス発生装置の延長線上に本発明があることを認識し、コンデンサーの放電、または、充電が完了することで、電圧の変化が得られることを利用した技術を利用し、その充電、または、放電が完了する僅かな時間を検出し、トランジスターへの接続を可能し、各構成要素の耐圧化を検討すればいい。【００１０】  その為には、ダイオード（２）と抵抗（１）を利用して高電圧に対する耐圧化を図り、ダイオード（２）の電圧を変化させ、コンデンサーに変化を与えると、かなり短いワンパルスが得られると、考え、その結果、図１の場合は、抵抗（１）値を１Ｍにしても、抵抗（１）に掛かった電圧のパルス高が得られたが、図２の場合は、抵抗（１）値を大きくすると、得られるパルスは、小さくなった。【００１１】  本発明装置（図１）から発生したパルスを、トランジスターによるインバータ回路に繋ぐことにより、縦長の長方形にほとんど近いパルスが得られ、コンデンサー（４）と抵抗（６）の値を検討した結果、１０μ秒の値を得られ、高圧のパルスが得られ、コンデンサー（４）と抵抗（６）の間にアノード側を負極（８）に接続したダイオードのカソード側の端子を接続しても同じ結果を得た。【００１２】  さらに値を検討すれば、パルス幅は狭くなり、高圧のパルスが得られる可能性があり、トランジスターのベースに繋いでパルスを発生させるならば、そこに使用開始の時のみに本発明と繋ぐ為のスイッチを入れれば安全性が増すと考えられる。
【発明の効果】
【００１３】  本発明は、もちろん、スイッチ（３）を押したときは、抵抗（１）に掛かる電圧は、正極（９）と負極（８）の差よりも同じか小さい値であり、ある状態では、ワンスイッチでパルス幅が１０μ秒を達成し、これは、毎秒一万回転で回るモーターを容易にカウント出来、次のカウントまで何らかの処理を行う時間を得るのに有効である。
【発明を実施するための最良の形態】
【００１４】  装置の出力側に繋ぐトランジスターの性能を上げれば、かなりの出力のパルスが得られる。
【実施例】
【００１５】  図１、図２、は、発明の全体図である。
【産業上の利用可能性】
【００１６】  本発明は、ある長さ以上の電圧の信号に対して、たった一つのある値のパルス幅とパルス高を発生する発明であり、その時間が、使用する装置において適切ならば、処理用の信号発生装置としての利用価値があり、かなりの出力が得られる。
【図面の簡単な説明】
【００１７】
【図１】  発明の全体図。
【００１８】
【図２】  発明の全体図。
【符号の説明】
【００１９】１．抵抗
２．ダイオード
３．スイッチ
４．コンデンサー
５．コンデンサー
６．抵抗
７．接続点
８．負極
９．正極
【図１】
2013118602.tif 000003
【図２】
2013118602.tif 000004
(57)【要約】【課題】  口紅は色味や質感が異なる膨大な量の製品があり、女性はその中から、自分に似合うものや好みのものを選択し、さらに、仕事用とプライベート用で用途に応じて使い分けるため、多くの口紅を揃える必要がある。そこで、１本の口紅で、異なる色味や質感の紅を使用可能とした新規な口紅を提案し、従来にない使い方や新たな商品展開が可能な口紅を提案する。【解決手段】  スティック状の紅１を筒状のリップケース２に出没自在に収容した口紅において、色味や質感が異なる複数の紅を層状に重ねて紅１を形成したことを特徴とする。【選択図】  図１
2013118981.tif 000002
【特許請求の範囲】
【請求項１】
スティック状の紅１を筒状のリップケース２に出没自在に収容した口紅において、
色味や質感が異なる複数の紅を層状に重ねて紅１を形成したことを特徴とする口紅。
【発明の詳細な説明】
【技術分野】
【０００１】
この発明は、スティック状の紅をリップケースに出没自在に収容し、唇を彩るために使用する化粧品である口紅に関するものである。
【背景技術】
【０００２】
一般に、口紅は、顔料や合成着色料の着色剤をワックス等の油剤とペースト状に混練し、この組成物を型に入れて固形剤を用いてスティック状の紅を成形し、紅を筒状のリップケースに収容して製品化されている。紅はリップケース基部の回転操作で先端開口から出没自在とされ、キャップを取って紅を繰り出し、唇に塗布して使用に供される。そして、口紅は、赤系、オレンジ系、ピンク系、ベージュ系等の様々な色味や、華やかな艶感のグロス系、落ち着いた艶感のマット系等の質感の異なるもの等、多種、多様な製品が各メーカーから商品展開され、化粧品売り場の陳列棚の大きな面積を専有している。
【０００３】
一方、こうしたスティック状の口紅は、紅を使い終えた後は使い捨てであるが、特許文献１には、スティック状の紅をリップケースに差し替え式とした口紅が提案されている。この口紅は、紅が終了した後に新たな紅をリップケースに差し替えることで、リップケースを廃棄することなく再利用可能としたものである。
【先行技術文献】
【特許文献】
【０００４】
【特許文献１】特開平９−２５２８３７号公報
【発明の概要】
【発明が解決しようとする課題】
【０００５】
このように、口紅は膨大な量の製品があり、女性はその中から、自分に似合うものや好みのものを選択し、さらに、仕事用とプライベート用で用途に応じて使い分けるため、多くの口紅を揃える必要があった。特許文献１の口紅のように、紅を差し替え式とすれば、１本の口紅で異なる色味や質感の紅が使用可能となるが、紅のリップケースへの差替作業は極めて煩雑である。
【０００６】
この発明は、こうした課題を解決することを目的とするもので、１本の口紅で、異なる色味や質感の紅を使用可能とした新規な口紅を提案することを目的とし、従来にない使い方や新たな商品展開が可能な口紅を提案するものである。
【課題を解決するための手段】
【０００７】
上記の目的を達成するため、この発明は、スティック状の紅１を筒状のリップケース２に出没自在に収容した口紅において、色味や質感が異なる複数の紅を層状に重ねて紅１を形成したことを特徴とするものである。
【発明の効果】
【０００８】
この発明の口紅は、色味や質感が異なる複数の紅を層状に重ねて紅１を形成したので、１本の口紅で、異なる色味や質感の紅の使用が可能となり、飽きることなく変化に富んだ紅を楽しむことができるとともに、１本の口紅が好みや用途に応じた使い分けに柔軟に適応するものである。
【０００９】
また、層状に重ねる複数の紅は、色味を全く変えて配列したり、同じ色味で、段階的に彩度や明度が変化するグラディエーションで配列したり、パール、グロス、マットと質感を変えて配列したり、様々な組み合わせの配列が可能であり、今までにない製品として新たな商品展開を図ることができる。
【００１０】
また、この発明の口紅は、各紅に相当する組成物を重ねて型に入れて紅１を成形し、簡単に製作することができ、異なる紅が多層に配列された紅１は面白味に富み、意匠性、ファッション性にも優れるものである。
【図面の簡単な説明】
【００１１】
【図１】この発明の最初の実施例で、紅をリップケースから全て繰り出した状態の正面図。
【図２】この発明の別の実施例で、紅をリップケースから全て繰り出した状態の正面図。
【発明を実施するための形態】
【００１２】
以下にこの発明の実施形態について、図面を用いて具体的に説明する。
【実施例１】
【００１３】
図１に、この発明の最初の実施例を示す。この口紅は、スティック状の紅１を筒状のリップケース２に出没自在に収容し、リップケース基部２ａの回転操作で紅１がリップケース２の先端開口から出没自在とした一般的な構造であり、図１は、キャップを取って紅１をリップケース２から全て繰り出した状態を示している。
【００１４】
図に示すように、この実施例の口紅は、色味や質感が異なる紅１ａ、１ｂ、１ｃを３層に重ねて紅１を形成している。重ね方は、紅１の先端の傾斜に合わせて各紅１ａ、１ｂ、１ｃが傾斜した状態で層状に重ねられている。各紅１ａ、１ｂ、１ｃの配列としては、例えば、１ａを赤、１ｂをピンク、１ｃをオレンジとして色味を全く変えたり、同じ色味で、パール、グロス、マットと質感を変えて配列することができる。
【実施例２】
【００１５】
図２に、この発明の別の実施例を示す。この口紅は、図に示すように、色味や質感が異なる紅１ａ、１ｂ、１ｃ、１ｄ、１ｅ、１ｆを６層に重ねて紅１を形成している。重ね方は、各紅１ａ、１ｂ、１ｃ、１ｄ、１ｅ、１ｆが平坦の状態で層状に重ねられている。各紅１ａ、１ｂ、１ｃ、１ｄ、１ｅ、１ｆの配列としては、色味を全く変えたり、同じ色味で、段階的に彩度や明度が変化するグラディエーションで配列することができる。
【符号の説明】
【００１６】
１  紅
２  リップケース
【図１】
2013118981.tif 000003
【図２】
2013118981.tif 000004
(57)【要約】      （修正有）【課題】手ぶらで気軽に出歩きたい時に、ウエストポーチやリュックほど大げさでなく、ぶら下げるもののような煩わしさのない、最低限の物を持ち歩ける物入れを提供すること。【解決手段】小ぶりのかばん本体１の後ろにクリップ３がついている。クリップ３は９０度以上に開いた状態と、閉じた状態の２か所で止めることができ、開いた状態で服の内側に差し込み、閉じて固定させる。固定したあとずれ上がらないように、クリップ３とかばん本体１の裏の双方に滑り止め４を設ける。【選択図】図１
2013118968.tif 000002
【特許請求の範囲】
【請求項１】
クリップで服に留めつけて持ち歩けることを特徴とする、後ろにクリップがついている小型のかばん。
【発明の詳細な説明】
【技術分野】
【０００１】
本発明は、手ぶらでも必要最低限の物を携行できるための、かばんに関するものである。
【背景技術】
【０００２】
従来品には、ベルトにはめ込むもの、ベルト通しや首からぶら下げるもの、ウエストに巻きつけるもの（ウエストポーチ）、リュックサック、ショルダーバッグなどがある。
【先行技術文献】
【特許文献】
【０００３】
【特許文献１】実願  第３０１９５０７号
【特許文献２】実願  第３０４８２１８号
【発明の概要】
【発明が解決しようとする課題】
【０００４】
紳士服と違って婦人服には、もともとポケットがついていないもの、ついていても使い勝手の悪いものが多い。特に制服以外のスカートはポケットがないほうが普通で、あっても浅かったり、飾り程度だったりする。これは使い勝手より見た目重視で作られているからだろう。だから女性はハンカチを持ち歩かず、トイレで手を洗っても拭くものがない、ということはなく、ハンドバックからハンカチを出し、さらに入念に化粧を直したりもするわけだが、しかし、最低限の必需品を身に着けられれば、もっと身軽に出歩くことも可能である。
だが、おしゃれな婦人服の多くは物を入れると表にひびいてしまう。そのため手さげやショルダーバッグが必携になる。
手ぶらで気軽に出歩きたい時に、ウエストポーチやリュックほど大げさでなく、ぶら下げるもののような煩わしさのない、最低限の物を持ち歩ける物入れが望まれる。
【課題を解決するための手段】
【０００５】
小型のかばん（１）をクリップ（３）で服に留められるようにして、手軽にハンカチ、小銭入れ、携帯電話、手帳など、各自に必要なものを持ち運べるようにした。
【発明の効果】
【０００６】
ちょっとした散歩や外出の際、何も持たずに出かけたいとは誰しも思うことである。しかし、鍵を持たないわけにもいかず、のどが渇いた時のために小銭くらい持っていこうとか、携帯電話は必要だとか人によって何かしらある。
本品はクリップで留めるだけなので、近所に手ぶらで出かけたいとき、簡単に最低限の必需品を持ち歩くことができる。
携行品で服のラインを崩したりせずに済むし、ウエストポーチやリュックほど大げさにならず、ファッションへの影響が少ない。首から下げたり、腰にぶら下げるのがわずらわしい人にも向く。
杖をついていたり、足が悪いので手ぶらでいたい人にも重宝する。そういうかたが、立ったまま物を取り出す場合も負担の少ない位置になる。
ショッピングなどで物を比較するのに両手を空けておきたいとき、重たいものやかさばる荷物を持つ予定があるときにも利用可能である。
外では置き引きや忘れ物の心配もあるが、貴重品だけでも身につけておくと安心である。特に携帯電話はかばんに入れておくと鳴ってもわからないからと手に持つことがあるが、それで忘れてしまっては元も子もないので、身につけておけると安心である。
【図面の簡単な説明】
【０００７】
【図１】クリップの側から見た、かばんの立体図
【図２】正面図
【図３】側面図
【図４】使用例
【発明を実施するための形態】
【０００８】
小ぶりのかばん（１）の後ろにクリップ金具（３）がついている。クリップ金具は９０度以上に開いた状態と、閉じた状態の２か所で止めることができるものである。開いた状態で服の内側に差し込み、閉じて固定させる。固定したあとずれ上がらないように、クリップとかばんの裏の双方に滑り止め（４）たとえばゴムなどの摩擦力のあるもの、ぎざぎざなどの突起がある。
【符号の説明】
【０００９】
１  かばん本体
２  ふた
３  クリップ
４  滑り止め
５  本体側面
【図１】
2013118968.tif 000003
【図２】
2013118968.tif 000004
【図３】
2013118968.tif 000005
【図４】
2013118968.tif 000006
(57)【要約】【課題】ジェルと呼ばれる合成樹脂を使って装飾体を固定するための指輪などの台座であって、ジェルを容易にきれいに小高く形成でき、ジェルの量も少なくて済み、ジェルが台座の縁から溢れにくく、台座から剥がれにくい台座を提供する。【解決手段】台座３の周囲で縁部５が高く形成され、台座３の中央に向かって底部９が徐々に高くなり、底部９の表面１０３は、細かな凹凸で形成された粗面１１となっている。【選択図】図１
2013118917.tif 000002
【特許請求の範囲】
【請求項１】
台座の上に流動性のある合成樹脂を載せ、その合成樹脂の上に装飾体を配置し、その後に、前記合成樹脂を硬化させることで装飾品を完成させるための前記台座において、前記台座の周囲で高く形成された縁部と、前記台座の中央に向かって徐々に高くなる底部と、を有することを特徴とする装飾台座。
【請求項２】
前記底部の表面は、細かな凹凸で形成された粗面となっていることを特徴とする請求項１に記載の装飾台座。
【発明の詳細な説明】
【技術分野】
【０００１】
この発明は、台座の上に装飾体を配置し固定して装飾品を完成させるための前記台座の構造に関する。
【背景技術】
【０００２】
ジェルと呼ばれる合成樹脂を用いて装飾品を完成させる技術がある。
すなわち、台座の上に、流動性のある合成樹脂であるジェルを載せ、その合成樹脂の上に、石やプラスチックなどからなる装飾体を配置し、その後に、合成樹脂を紫外線や可視光線を照射等することで硬化させ、台座に装飾体を固定し、指輪などの装飾品を完成させる。
【０００３】
図３に示すように、従来の台座１０１は、表面１０３が平坦である。この平坦な鏡面の表面１０３の上に、ジェル１０５を小高く盛り上げる。この台座１０１は、装飾品である指輪を構成するもので、円盤状であり、下面には、指にはめるリング部１０７が一体に設けられる。
【０００４】
下記特許文献１には、台座に凹凸模様を設けて、宝飾品であるルビーの美しさを高める技術が開示される。  
【先行技術文献】
【特許文献】
【０００５】
【特許文献１】特開２００８−１２５８７６
【発明の概要】
【発明が解決しようとする課題】
【０００６】
しかしながら、図３の従来技術によれば、ジェルをきれいに小高く盛り上げるには、熟練した技術が必要であり、一般に困難である。ジェルの量も多く必要となる。また、小高く盛り上げたジェルは、台座の縁から溢れやすく、困難性をより高めることになる。さらに、台座からジェルが剥がれやすい。
【０００７】
なお、上記特許文献１の凹凸模様は、台座に宝飾品等を固定するのに寄与するための機能を有するものではない。
この発明は、以上の問題点を解決するために、ジェルを容易にきれいに小高く形成でき、ジェルの量も少なくて済み、ジェルが台座の縁から溢れにくく、台座から剥がれにくい台座を提供することを目的とする。
【課題を解決するための手段】
【０００８】
以上の課題を解決するために、第一発明は、台座の上に流動性のある合成樹脂を載せ、その合成樹脂の上に装飾体を配置し、その後に、前記合成樹脂を硬化させることで装飾品を完成させるための前記台座において、前記台座の周囲で高く形成された縁部と、前記台座の中央に向かって徐々に高くなる底部と、を有することを特徴とする装飾台座である。  第二発明は、さらに、前記底部の表面は、細かな凹凸で形成された粗面となっていることを特徴とする装飾台座である。
【発明の効果】
【０００９】
第一、又は第二発明によれば、台座の周囲で縁が高く形成されることで、ジェルが台座から溢れにくく、台座の底部が中央に向かって徐々に高くなることで、ジェルを容易にきれいに小高く形成でき、ジェルの量も少なくて済む。
第二発明によれば、さらに、台座の底部の表面は、細かな凹凸で形成された粗面となっていることから、ジェルが台座の底面となじみやすく、台座から剥がれにくい。
【図面の簡単な説明】
【００１０】
【図１】この発明の一実施形態に係る台座を有する指輪を示すもので、（Ａ）は、完成前の平面図、（Ｂ）は（Ａ）の台座の一部を断面にして表す側面図、（Ｃ）は（Ａ）にジェルを載せた状態の全体側面図、（Ｄ）は（Ｃ）の台座の縦断面図である。
【図２】この発明の他の実施形態に係る台座を有する指輪を示すもので、（Ａ）は、完成前に指にはめた状態の斜視図に代える代用写真、（Ｂ）は（Ａ）の完成状態の斜視図に代える代用写真である。
【図３】従来の台座を有する指輪を示すもので、（Ａ）は、平面図、（Ｂ）は、（Ａ）の台座を示す側面図、（Ｃ）は、（Ａ）にジェルを載せた状態の全体側面図、（Ｄ）は、（Ａ）の斜視図に代える代用写真である。
【発明を実施するための形態】
【００１１】
この発明の一実施形態を、図１に示す。
この装飾品である指輪１を構成する台座３の周囲は円形（図１（Ａ））で、この円形の縁部５が高く形成される（図１（Ｂ））。この縁部５は、円形断面を有するリング状をなす（図１（Ａ）（Ｃ））。縁部５の直ぐ内側は、溝７になっている（図１（Ｂ））。溝７から台座３の中央に向かって底部９が徐々に高くなり、この底部９は、小高く、概略球状の一部を形成する曲面になっている。この底部９の表面１６は、細かな凹凸で形成されたザラザラの粗面１１となっている。台座３の下面には、指にはめるリング部１３が一体に設けられる。
【００１２】
「実施形態の効果」
台座３の周囲で縁が高く形成されることで、表面張力の弱いジェル１５であっても台座３の縁から溢れにくい。溝７があるので、さらに、溢れにくい。また、台座３の底部９が中央に向かって徐々に高くなることで、ジェル１５を均一の厚さ（図１（Ｄ））で載せても、容易にきれいに、見た目上、小高く立体的に形成できる（図１（Ｃ））。ジェル１５の表面張力を使って熟練の技術により立体的にする必要がなくなる。また、ジェル１５の量も少なくて済む。
【００１３】
さらに、台座３の底部９の表面１６は、細かな凹凸で形成されたザラザラの粗面１１となっていることから、ジェル１５が台座３の底面となじみやすく、容易に定着するので、載せた後で衝撃を受けるなどのことがあっても台座３から剥がれにくい。
「他の実施形態」
以上の実施形態では、縁部５は、円形断面を有するリング状をなすものであったが、他の実施形態では、色々の形態をとることができる。例えば図２に示すように、縁部５が、小さな球状の突起を連続して配置した波状の模様をなすものでも良い。硬化したジェル１５によって、装飾体１７が固定される。
【００１４】
以上の実施形態では、装飾品として指輪を例に説明したが、他の実施形態では、ペンダント、ピアス、ブレスレット、ネックレス、など色々な装飾品に本発明は実施可能である。
ジェル１０５である合成樹脂は、紫外線、可視光線、または赤外線を照射等することで硬化する性質のもののみならず、お湯につけて硬化させる熱硬化樹脂など、色々な硬化の性質を有する合成樹脂を採用できる。
装飾体１７（図２（Ｂ）参照）としては、宝石、水晶などの石、プラスチック製品などが使用できる。
【符号の説明】
【００１５】
１…指輪、３…台座、５…縁部、７…溝、９…底部、１１…粗面、１３…リング部、１７・・装飾体、１０１…台座、１６、１０３…表面、１５、１０５…ジェル、１０７…リング部。
【図１】
2013118917.tif 000003
【図２】
2013118917.tif 000004
【図３】
2013118917.tif 000005
(57)【要約】【課題】リレーのハードシーケンス回路のみで、一方の運転台の戸閉制御装置で開けたドアを反対側の運転台の戸閉制御装置で閉めることを可能にする。【解決手段】電車の両先頭車に設置してある戸閉制御装置の戸開指令を保持するためのリレーを励磁する線を引き通し、反対側車両の戸閉制御装置を経由して反対側車両のグランドに落とす。その引き通し線にドアを閉めるためのリレーのb接点を入れることにより、ドアを開けている運転台の戸閉制御装置とは反対側の戸閉制御装置のドアを閉めるためのリレーのb接点を開放することにより、ドア開指令を消滅させて、ドアを閉めることができる。終端駅で一方の運転台の戸閉制御装置でドアを開いた後、もう一方の先頭車両の運転台に乗務員が移動するとき、ドアを閉じることなく開いたまま移動できるため乗降時間の短縮することが可能となる。【選択図】図１
2013014238.tif 000002
【特許請求の範囲】
【請求項１】
戸開指令を保持するためのリレーを有し、電車の両先頭車に設置される戸閉制御装置において、該リレーを励磁する引き通し線を、いずれの先頭車より反対側先頭車の該戸閉制御装置を経由して反対側先頭車両のグランドに落とし、該引き通し線にドアを閉めるためのリレーの接点を接続することを特徴とする戸閉制御装置。
【発明の詳細な説明】
【技術分野】
【０００１】
本発明は電車の両先頭車に設置してある戸閉制御装置でドアを開けている運転台の戸閉制御装置とは反対側の戸閉制御装置でドアを閉めることができる戸閉制御装置に関するものである。
【背景技術】
【０００２】
従来、電車のドアを開けた運転台の戸閉制御装置でしかドアを閉めることができなかった。しかし、終端駅で一方の運転台の戸閉制御装置でドアを開いた後、もう一方の先頭車両の運転台に乗務員が移動するとき、そのたびにドアを閉めていては乗客の乗降時間短くなる上、乗客を車両内に閉じ込めてしまう等の事故が発生する可能性がある。それらの事情を鑑み、車両のユーザー側からドアを開いた運転台とは反対側の運転台でもドアを閉めることができることを要望されていた。
【先行技術文献】
【特許文献】
【０００３】
【特許文献１】特開平１０−４４９９１号公報
【発明の概要】
【発明が解決しようとする課題】
【０００４】
リレーのハードシーケンス回路のみで、一方の運転台の戸閉制御装置で開けたドアを反対側の運転台の戸閉制御装置で閉めることを可能にすること。
【課題を解決するための手段】
【０００５】
その目的を達成するため、請求項１の発明によれば、戸開指令を保持するためのリレーを有し、電車の両先頭車に設置される戸閉制御装置において、該リレーを励磁する引き通し線を、いずれの先頭車より反対側先頭車の該戸閉制御装置を経由して反対側先頭車両のグランドに落とし、該引き通し線にドアを閉めるためのリレーの接点を接続することを特徴とする。
【０００６】
すなわち両先頭車両の戸閉制御装置において、以下〔０００７〕、〔０００８〕の回路をリレーのハードシーケンス回路のみで構成する。
【０００７】
ドア開スイッチを押すとドア閉スイッチを押さない限りドア電磁弁へ開指令を伝達し続けるためのドア開指令保持リレーを持つ回路。
【０００８】
両先頭車に設置してある戸閉制御装置の戸開指令保持のためのリレーの接地線を引き通し、反対側戸閉制御装置内のドアを閉指令のリレーのb接点に接続し、その反対側車両の接地線に接続する回路。
【発明の効果】
【０００９】
本発明を使用することにより終端駅で一方の運転台の戸閉制御装置でドアを開いた後、もう一方の先頭車両の運転台に乗務員が移動するとき、ドアを閉じることなく開いたまま移動できるため乗降時間の短縮することが可能。
【００１０】
また、一方の先頭車両の戸閉制御装置が故障によりドアが閉じられなくなった時、もう一方の先頭車両の戸閉制御装置でドアを閉じることができる。
【図面の簡単な説明】
【００１１】
【図１】戸閉制御装置の実施方法を示した回路図である。(実施例１)
【発明を実施するための形態】
【００１２】
以下、本発明の実施の形態について図１を参照して説明する。
【実施例１】
【００１３】
ドア開スイッチ１を押すと３のドア開指令保持リレー１が励磁され、引き通し線に電流が流れ反対側先頭車の戸閉制御装置を経由しての反対側車両のグランドに落ちる。それによりドア開指令保持リレー１のa接点４が閉じる。
【００１４】
それにより５のドア開指令保持リレー２が励磁され、そのa接点６が閉じることにより３のドア開指令保持リレー１が自己保持される。
【００１５】
ドア開指令保持リレー１のa接点４も閉じたままになるので、ドア開指令実行リレー７が励磁状態になる。
【００１６】
よって、ドア開指令実行リレー７のa接点８が閉じたままになりドア電磁弁へドア開指令を伝達し続け、車両のドアが開状態になる。
【００１７】
上記より３のドア開指令保持リレー１の励磁が解消されないかぎり、車両のドアは閉まらない。
【００１８】
反対側の先頭車両の戸閉制御装置のドア閉スイッチ１１を押すと、反対側の先頭車両の戸閉制御装置のドア閉実行リレー１２のコイルが励磁され、そのb接点１３が開く。
【００１９】
それにより３のドア開指令保持リレー１を励磁していた電流は消滅し、反対側先頭車両の戸閉制御装置を操作することにより車両ドア閉じることができる。
【００２０】
上記により車両ドアを開けた運転台の戸閉制御装置と反対側の戸閉制御装置の操作で車両ドアを閉じることができる回路が実現できる。
【符号の説明】
【００２１】
１        ドア開スイッチ
２        ドア閉スイッチ
３        ドア開指令保持リレー１
４        ドア開指令保持リレー１のａ接点
５        ドア開指令保持リレー２
６        ドア開指令保持リレー２のａ接点
７        ドア開指令実行リレー
８        ドア開指令実行リレー
９        ドア閉実行リレー
１０      ドア閉実行リレーのb接点
１１      反対側の先頭車両の戸閉制御装置のドア閉スイッチ
１２      反対側の先頭車両の戸閉制御装置のドア閉実行リレー
１３      反対側の先頭車両の戸閉制御装置のドア閉実行リレーのb接点
【図１】
2013014238.tif 000003
(57)【要約】【課題】  自動車が後退する時、姿勢が不自然になり、危険である【解決手段】  前と後ろに操縦席があり、どちらからでも運転することができる。【選択図】図１
2013014300.tif 000002
【特許請求の範囲】
【請求項１】
前と後に操縦装置のある自動車。
【発明の詳細な説明】
【技術分野】  自動車に関するもの。
【背景技術】  自動車に関するもの。
【発明の開示】
【発明が解決しようとする課題】  従来の自動車の後退は危険である。
【課題を解決するための手段】  本発明は自動車に関するものであり、前と後ろに操縦席があり、従来の自動車の後退にあたるものが、スイッチによって前進になる。エンジンは一つで、変換機により、タイヤにアクセル出力とブレ−キ出力とハンドブレ−キ出力が伝えられる。クラッチがある場合は、アクセルやブレ−キと同様である。アクセルとブレ−キはどちらか一つがタイヤに伝えられ、ハンドブレ−キ出力はどちらからも解除と出力が可能である。ハンドルは連結されてはなく、出発する前に自動的に前輪または後輪が、進行方向と平行になるようにする。エンジンは、従来の自動車の後退にあたるものが前進となる。マニュアル車では、ロ−がバックとなり、オ−トマチック車でも同様である。
【発明の効果】  自動車の運転がより安全になる。
【発明を実施するための最良の形態】  図１と図２に示された自動車を製造すること。
【産業上の利用可能性】  十分に可能である。
【実施例】  なし。
【図面の簡単な説明】
【図１】  全体図
【図２】  変換機
【符号の説明】［図１］
１  操縦席
２  タイヤ
３  スイッチ
４  変換機
５  エンジン
［図２］
１  アクセル出力
２  ブレ−キ出力
３  ハンドブレ−キ出力
【図１】
2013014300.tif 000003
【図２】
2013014300.tif 000004
(57)【要約】【課題】高速走行を旨とする車両では、一般にエアロパーツと称される外装部品の付加により、地上に押し付ける力を発生して、より安定した走行を実現することが知られているが、Ｌ／Ｄ（揚力抗力比）の改善には限界がある。【解決手段】回転中心軸を略垂直、回転自由支持とした回転翼を車両に具備し、当該翼の受動的回転によって、車両を地上に押し付ける力を効率的に発生させる。【選択図】図１
2013014305.tif 000002
【特許請求の範囲】
【請求項１】
車両に、回転中心軸を略垂直、回転自由支持とした回転翼を具備し、当該翼の受動的回転によって、当該車両を地上に押し付ける力を発生する装置。
【発明の詳細な説明】
【技術分野】
【０００１】  本発明は、車両に具備される回転翼に関する。
【背景技術】
【０００２】  高速走行を旨とする車両では、一般にエアロパーツと称される外装部品の付加により、地上に押し付ける力を発生して、より安定した走行を実現することが知られている。
これらの外装部品は、おもに航空機が揚力を得る方法を逆用していることも、一般によく知られている。
【発明の概要】
【発明が解決しようとする課題】
【０００３】  従来の技術によれば、エアロパーツと称される外装部品は須らく車体に固定された、航空機では固定翼にあたる装置であり、Ｌ／Ｄ（揚力抗力比）の改善には限界がある。
【課題を解決するための手段】
【０００４】  以上の課題を解決するため、本発明では回転中心軸を略垂直、回転自由支持とした回転翼を車両に具備し、当該翼の受動的回転によって、当該車両を地上に押し付ける力の発生を図る。
【発明の効果】
【０００５】  本発明によれば、当該回転翼が走行風により受動的に回転し、オートジャイロと称される軽便回転翼機が揚力を得る原理と同様の作用によって、当該車両を地上に押し付ける力が効率的に発生し、Ｌ／Ｄ（揚力抗力比）の改善が図られる。
【発明を実施するための形態】
【０００６】  以下、本発明の実施のさまを、図面を参照して説明する。
【図面の簡単な説明】
【０００７】
【図１】は、本発明による車両の回転翼付近の横面図で、一部は回転翼中心軸を通る縦貫断面図である。
【符号の説明】
【０００８】（１）走行風
（２）回転翼中心軸
（３）回転翼
（４）車両本体
（５）車両を地上に押し付ける力
（６）走行地面
【実施例】
【０００９】  （３）回転翼は（２）回転翼中心軸において（４）車両本体に対して回転自由に支持されている。
このとき（２）回転翼中心軸が垂直方向より僅かに前傾しているので、（３）回転翼は（１）走行風によって受動的に回転するが、これはオートジャイロと称される軽便回転翼機が機体に対して回転自由に支持されている回転翼の中心軸を垂直方向より僅かに後傾させて、飛行風による受動的回転より揚力を得る状態と同様である。
ただし、（２）回転翼中心軸の傾斜方向が逆なので、当該車両においてはオートジャイロの場合と同様の原理で（５）車両を地上に押し付ける力が発生する。
これは車両に固定された外装部品により（５）車両を地上に押し付ける力を得る場合より効率的で、当該装置の付加による抗力の増加に対し、より大きな割合で（５）車両を地上に押し付ける力が発生するので、Ｌ／Ｄ（揚力抗力比）の改善が図られる。
【図１】
2013014305.tif 000003
(57)【要約】【課題】運転中ブレーキペタルとアクセルペタルを踏み間違えた時、直ちにエンジンを停止させ、運転者や歩行者を悲惨な交通事故から守ることを課題とする。【解決の手段】アクセルペタルと床の間に開閉スイッチを設けアクセルペタルを一杯に踏み込んだ時開閉スイッチが作動するように取り付ける。この開閉スイッチを点火系統の一次側回路に直列に接続する。【選択図】図１
2013014304.tif 000002
【特許請求の範囲】
【請求項１】
アクセルペタルと床の間に開閉スイッチを設け点火系統の一次側回路に直列に接続した自動車緊急停止装置。
【発明の詳細な説明】
【技術分野】
【０００１】本発明は、自動車を運転中アクセルペタルとブレーキペタルの踏み間違えによって発生する悲惨な交通事故を防止するものである。
【背景技術】
【０００２】従来の自動車の点火系統の働きは、バッテリー（５）から出た電流は、エンジンスイッチ（２）をＯＮすると点火コイル（６）の一次コイルを通り、コンタクトブレーカー（８）へと流れアースされる。エンジンが回転するとカムシャフトで駆動されるコンタクトブレーカー（８）により電流が断続され、点火コイル（６）の二次コイルに高圧電流が誘発される。高圧電流はディストリビューター（１）により各点火プラグ（４）に導かれる。
コンデサー（７）はコンタクトブレーカー（８）の接点を保護するためのものである。
エンジンスイッチ（２）をＯＦＦにすると一次電流が処断され点火プラグは失火しエンジン停止となる。ブレーキペタルとアクセルペタルを踏み間違えた時、エンジンや車を停止させる装置は開発されていない。【０００３】近年の自動車は性能が向上し、アクセルペタルを一杯に踏み込むと車のスピードは２００Ｋｍ／時以上に、出力は３００馬力を超える車もある。
通常の運転に於いては、アクセルペタルを一杯に踏むことはない。もしあるとすれば危険運転である。
ブレーキペタルはアクセルペタルに比べは遥かに強い力で踏まれ、車が減速するまでペタルを踏み続ける。
もし、ブレーキペタルを踏むつもりでアクセルペタルを踏むと、アクセルペタルは一気に床まで踏み込まれ、車は急発進、急加速する。運転者はブレーキペタルを踏んでいると誤認しているため、車を止めようと更に足を踏ん張る。結果として車は障害物に激突するか、横転しない限り停止することはない。
【発明の開示】
【発明が解決しようとする課題】
【０００４】運転中ブレーキペタルとアクセルペタルを踏み間違えた時、直ちにエンジンを停止させ、運転者や歩行者を悲惨な交通事故から守ることを課題とする。
【課題を解決するための手段】
【０００５】アクセルペタル（９）と床（１０）の間に開閉スイッチ（３）を設けアクセルペタルを一杯に踏み込んだ時開閉スイッチが作動するように取り付ける。この開閉スイッチを点火系統の一次側回路に直列に接続する。
【効果】
【０００６】ブレーキペタルとアクセルペタルの踏み違えで発生する事故は、人為的ミスである。その為ミスをする人を特定することも、ミスを撲滅することも極めて困難である。しかし、本発明を実施すれば、たった一個の開閉スイッチを取り付けるだけで、高価な車や他人の財産はもちろん尊い人命を奪う交通事故を防止できる。
【発明を実施するための最良の形態】
【０００７】図１は本発明の実施を示す配線図。図２は部分断面図である。
アクセルペタル（９）と床（１０）の間に開閉スイッチ（３）を設ける。このスイッチ（３）を点火系統の一次側にあるエンジン開閉スイッチ（２）の後に直列に配線する。
開閉スイッチ（３）は通常は閉の状態にある。運転中ブレーキペタルとアクセルペタルを踏み間違えアクセルペタルが床（１０）に接触し開閉スイッチ（３）が作動すると開の状態になり点火プラグ（４）が失火しエンジンは停止する。【０００８】本発明は、従来ハンドル近くに取り付けられているエンジンスイッチ（２）をＯＦＦにしてエンジンを停止させるのと同じである。ペタルを踏み違えた時、手でエンジンスイッチをＯＦＦにする余裕がないので、強制的に作動する開閉スイッチ（３）を設けたものである。安全性、危険性に全く問題はない。
また、アクセルペタルを急に踏み込んでも、エンジンの回転が上昇するまでには若干の遅れがあるので、エンジンの回転が上昇する前にエンジンは停止し車は急発進、急加速せず停止する。停止後、アクセルペタルから足を離せば開閉スイッチ（３）は閉にもどり点火系統は元の状態に戻る。仕様書に従いエンジンスイッチ（２）でスタートし通常の走行ができる。【０００９】開閉スイッチ（３）の配線位置は、エンジンスイッチ（２）の前後に関係なく、一次側回路又は、二次側回路を処断するが、一次側回路又は、二次側回路をアースさせてもエンジンは停止する。また電子制御式点火装置等に於いても同じである。【００１０】開閉スイッチ（３）は、機械式でも電磁式でも電流を開閉できるものであれば良い。取り付け位置についてもアクセルペタル（９）と床（１０）の間でなく、アクセルペタルを一杯に踏み込んだ時スイッチが作動すればよい、例えばアクセルペタルにケーブルを取りつれてスイッチと連動させても本発明は成立する。【００１１】開閉スイッチ（３）を利用し電子制御式燃料系統の燃料の流れを止める方法もある。アクセルペタルにケーブルを取りつけ機械的に燃料を止めても良い。
【図面の簡単な説明】
【００１２】
【図１】発明の実施例を示す配線図である。
【図２】発明の実施例を示す部分断面図である。
【符号の説明】１  ディストリビューター                ２  エンジンスイッチ
３  開閉スイッチ                        ４  点火プラグ
５  バッテリー                          ６  点火コイル
７  コンデンサー                        ８  コンタクトブレーカー
９  アクセルペタル                      １０  床
１１  座席シート
【図１】
2013014304.tif 000003
【図２】
2013014304.tif 000004